(57)【要約】【課題】  従来の映像音声記録再生装置の構成を大幅に変更することなく、再生した音声情報を記録することが可能となり且つ使用者の負担を軽減すること可能な映像音声記録再生装置等を提供する。【解決手段】  光ディスク１０１又はハードディスク１０２等の記録媒体に対し、映像情報又は音声情報の記録又は再生が夫々可能な複数のドライブ１１、１２を備えるＡＶレコーダ／プレーヤＳにおいて、一の記録媒体に対応するドライブにより当該一の記録媒体から再生された音声情報を、他の記録媒体に対応する他のドライブに伝送する伝送部５を当該ＡＶレコーダ／プレーヤＳの内部に備え、他のドライブは、伝送された音声情報を他の記録媒体に記録する。【選択図】  図１
2008108288.tif 000002
【特許請求の範囲】
【請求項１】
映像情報及び音声情報を夫々符号化する符号化手段と、前記符号化された映像情報及び音声情報のフォーマットを第一の記録フォーマットに変換する記録フォーマット変換手段と、前記第一の記録フォーマットにフォーマットが変換された映像情報及び音声情報を第一の記録媒体に記録する記録手段と、前記第一の記録フォーマットとは異なる第二の記録フォーマットで前記音声情報が記録された第二の記録媒体から当該音声情報を検出する検出手段と、前記検出した音声情報を再生する再生手段と、を備える情報記録再生装置において、
前記再生された音声情報である再生音声情報を前記符号化手段に伝送する伝送手段を当該情報録再生装置の内部に更に備え、
前記符号化手段は、前記伝送された再生音声情報を符号化し、
前記記録フォーマット変換手段は、前記符号化された再生音声情報のフォーマットを前記第一の記録フォーマットに変換し、
更に前記記録手段は、フォーマットが前記第一の記録フォーマットに変換された前記再生音声情報を前記第一の記録媒体に記録することを特徴とする情報記録再生装置。
【請求項２】
請求項１に記載の情報記録再生装置において、
当該情報記録再生装置の外部から前記音声情報を入力音声情報として入力する入力手段を更に備えると共に、
前記伝送手段は、前記再生音声情報を前記符号化手段へ伝送する第一の伝送状態と、前記入力音声情報を当該符号化手段へ伝送する第二の伝送状態と、を切替える切替手段を備え、
前記符号化手段は、各前記伝送状態に応じて伝送されて来た前記再生音声情報又は前記入力音声情報のいずれか一方を符号化し、
前記符号化された再生音声情報又は入力音声情報は、前記記録フォーマット変換手段により前記第一の記録フォーマットにフォーマット変換された後、前記記録手段により前記第一の記録媒体に記録されることを特徴とする情報記録再生装置。
【請求項３】
請求項１又は２に記載の情報記録再生装置において、
前記再生音声情報をアナログ化してアナログ再生音声情報を生成するアナログ化手段と、
前記アナログ再生音声情報をデジタル化するデジタル化手段と、を更に備え、
前記再生音声情報は、前記検出手段により前記第二の記録媒体からデジタル信号として検出された後、前記再生手段により再生されて前記アナログ化手段に出力され、
前記伝送手段は、前記アナログ化手段から出力された前記アナログ再生音声情報を前記デジタル化手段に伝送し、
更に前記伝送されたアナログ再生音声情報は、前記デジタル化手段によりデジタル化されて前記符号化手段により符号化された後、前記記録フォーマット変換手段により前記第一の記録フォーマットに変換されて前記記録手段によりデジタル信号として前記第一の記録媒体に記録されることを特徴とする情報記録再生装置。
【請求項４】
請求項１又は２に記載の情報記録再生装置において、
前記検出手段により前記第二の記録媒体からデジタル信号として検出されて前記再生手段により再生された前記再生音声情報の情報レートを前記第一の記録フォーマットに対応させて変換するレート変換手段を更に備え、
前記符号化手段は、前記情報レートが変換された前記再生音声情報を符号化し、
前記符号化された再生音声情報は、前記記録フォーマット変換手段により前記第一の記録フォーマットにフォーマット変換された後、前記記録手段によりデジタル信号として前記第一の記録媒体に記録されることを特徴とする情報記録再生装置。
【請求項５】
請求項１から４のいずれか一項に記載の情報記録再生装置において、
前記符号化手段は、デジタル信号として再生された前記再生音声情報を、複数の圧縮率から任意に選択された一の当該圧縮率に基づいて符号化することを特徴とする情報記録再生装置。
【請求項６】
映像情報及び音声情報を夫々符号化する符号化手段と、前記符号化された映像情報及び音声情報のフォーマットを第一の記録フォーマットに変換する記録フォーマット変換手段と、前記第一の記録フォーマットにフォーマットが変換された映像情報及び音声情報を第一の記録媒体に記録する記録手段と、前記第一の記録フォーマットとは異なる第二の記録フォーマットで前記音声情報が記録された第二の記録媒体から当該音声情報を検出する検出手段と、前記検出した音声情報を再生する再生手段と、を備える情報記録再生装置により実行される情報記録再生方法において、
前記再生された音声情報である再生音声情報を前記符号化手段に伝送する伝送手段を当該情報録再生装置の内部に更に備えると共に、
前記伝送手段により前記再生音声情報を前記符号化手段に伝送する伝送工程と、
前記伝送された再生音声情報を前記符号化手段により符号化する符号化工程と、
前記符号化された再生音声情報のフォーマットを前記記録フォーマット変換手段により前記第一の記録フォーマットに変換する記録フォーマット変換工程と、
前記第一の記録フォーマットにフォーマット変換された再生音声情報を前記記録手段により前記第一の記録媒体に記録する記録工程と、
を含むことを特徴とする情報記録再生方法。
【請求項７】
映像情報及び音声情報を夫々符号化する符号化手段と、前記符号化された映像情報及び音声情報のフォーマットを第一の記録フォーマットに変換する記録フォーマット変換手段と、前記第一の記録フォーマットにフォーマットが変換された映像情報及び音声情報を第一の記録媒体に記録する記録手段と、前記第一の記録フォーマットとは異なる第二の記録フォーマットで前記音声情報が記録された第二の記録媒体から当該音声情報を検出する検出手段と、前記検出した音声情報を再生する再生手段と、を備える情報記録再生装置に含まれるコンピュータを、
前記再生された音声情報である再生音声情報を当該情報録再生装置の内部において前記符号化手段に伝送する伝送手段として機能させると共に、
前記符号化手段として機能する前記コンピュータを、前記伝送された再生音声情報を符号化するように機能させ、
前記記録フォーマット変換手段として機能する前記コンピュータを、前記符号化された再生音声情報のフォーマットを前記第一の記録フォーマットに変換するように機能させ、
更に前記記録手段として機能する前記コンピュータを、フォーマットが前記第一の記録フォーマットに変換された前記再生音声情報を前記第一の記録媒体に記録するように機能させることを特徴とする情報記録再生用プログラム。
【請求項８】
請求項７に記載の情報記録再生用プログラムが前記コンピュータにより読み取り可能に記録されていることを特徴とする情報記録媒体。
【発明の詳細な説明】
【技術分野】
【０００１】
本願は、光ディスク又はＨＤ（Hard Disc）記録媒体に対し映画等の映像情報又は音声情報の記録又は再生が可能な、例えば光ディスクドライブ、ＨＤＤ（Hard Disc Drive）等を複数備える情報記録再生装置、情報記録再生方法等の技術分野に属する。
【背景技術】
【０００２】
従来、ＨＤＤ／ＤＶＤ（Digital Versatile Disc）ビデオレコーダ等の複数の記録部を有する情報記録再生装置が、例えばＣＤ（Compact Disc）用の再生回路を備えることにより、ＤＶＤドライブに装着されている音楽用ＣＤに記録された音声情報を再生する機能を具備できるようになることは一般的に知られている。
【０００３】
一方、下記特許文献１に開示された情報ダビング装置においては、複数の記録再生装置の間に接続コード等によりダビング用の伝送経路を設け、このダビング用伝送経路を介して、例えば音楽用ＣＤから再生した音声情報をＨＤＤに記録する機能を実現している。
【０００４】
【特許文献１】特開平１１−２８８５７７号公報
【発明の開示】
【発明が解決しようとする課題】
【０００５】
しかしながら、例えば、ＨＤＤを備えた従来の情報記録再生装置で一般に用いられている当該ＨＤＤによる音声情報の記録フォーマット（ＡＣ−３（Audio Code number 3）等）と、音楽用ＣＤに用いられている音声情報の記録フォーマット（ＣＤ−ＤＡ（Compact Disk digital Audio））はその記録フォーマット等が異なるため、上述した従来の情報記録再生装置の構成では、再生した音楽用ＣＤの音声情報を直接ＨＤに記録することはできない。従って、音楽用ＣＤから再生した音声情報をＨＤに記録するためには、使用者自身が、例えば、情報記録再生装置の音声入力端子（ＨＤＤに接続されている音声入力端子）と音声出力端子（音楽用ＣＤの再生系に接続されている音声出力端子）とをケーブル等で別途接続しなければならず、使用者に負担がかかるという問題があった。
【０００６】
また、従来の情報記録再生装置の構成に、上記特許文献１に開示された情報ダビング装置等の構成を組み合わせることで、再生した音声情報をＨＤに記録する機能を実現することとすると、別途、専用の再生回路、記録回路等を新たに追加しなければならなくなり、情報記録再生装置としてのコストが増大する等の問題があった。
【０００７】
そこで、本願は上記の各問題点に鑑みてなされたものであり、その課題の一例としては、従来からの構成を大幅に変更することなく、再生した音声情報を記録することが可能であり、且つ使用者の負担を軽減することが可能な情報記録再生装置、情報記録再生方法及び当該記録再生用の情報記録再生用プログラム並びに当該情報記録再生用プログラムが記録された情報記録媒体を提供するが挙げられる。
【課題を解決するための手段】
【０００８】
上記の課題を解決するために、請求項１に記載の発明は、映像情報及び音声情報を夫々符号化する音声エンコーダ等の符号化手段と、前記符号化された映像情報及び音声情報のフォーマットを第一の記録フォーマットに変換するマルチプレクサ等の記録フォーマット変換手段と、前記第一の記録フォーマットにフォーマットが変換された映像情報及び音声情報をＨＤ等の第一の記録媒体に記録するＨＤＤ等の記録手段と、前記第一の記録フォーマットとは異なる第二の記録フォーマットで前記音声情報が記録された光ディスク等の第二の記録媒体から当該音声情報を検出する光ディスクドライブ等の検出手段と、前記検出した音声情報を再生するＣＤ再生部等の再生手段と、を備える情報記録再生装置において、前記再生された音声情報である再生音声情報を前記符号化手段に伝送する伝送手段を当該情報録再生装置の内部に更に備え、前記符号化手段は、前記伝送された再生音声情報を符号化し、前記記録フォーマット変換手段は、前記符号化された再生音声情報のフォーマットを前記第一の記録フォーマットに変換し、更に前記記録手段は、フォーマットが前記第一の記録フォーマットに変換された前記再生音声情報を前記第一の記録媒体に記録するように構成される。
【０００９】
上記の課題を解決するために、請求項６に記載の発明は、映像情報及び音声情報を夫々符号化する音声エンコーダ等の符号化手段と、前記符号化された映像情報及び音声情報のフォーマットを第一の記録フォーマットに変換するマルチプレクサ等の記録フォーマット変換手段と、前記第一の記録フォーマットにフォーマットが変換された映像情報及び音声情報をＨＤ等の第一の記録媒体に記録するＨＤＤ等の記録手段と、前記第一の記録フォーマットとは異なる第二の記録フォーマットで前記音声情報が記録された光ディスク等の第二の記録媒体から当該音声情報を検出する光ディスクドライブ等の検出手段と、前記検出した音声情報を再生するＣＤ再生部等の再生手段と、を備える情報記録再生装置により実行される情報記録再生方法において、前記再生された音声情報である再生音声情報を前記符号化手段に伝送する伝送手段を当該情報録再生装置の内部に更に備えると共に、前記伝送手段により前記再生音声情報を前記符号化手段に伝送する伝送工程と、前記伝送された再生音声情報を前記符号化手段により符号化する符号化工程と、前記符号化された再生音声情報のフォーマットを前記記録フォーマット変換手段により前記第一の記録フォーマットに変換する記録フォーマット変換工程と、前記第一の記録フォーマットにフォーマット変換された再生音声情報を前記記録手段により前記第一の記録媒体に記録する記録工程と、を含む。
【００１０】
上記の課題を解決するために、請求項７に記載の発明は、映像情報及び音声情報を夫々符号化する音声エンコーダ等の符号化手段と、前記符号化された映像情報及び音声情報のフォーマットを第一の記録フォーマットに変換するマルチプレクサ等の記録フォーマット変換手段と、前記第一の記録フォーマットにフォーマットが変換された映像情報及び音声情報をＨＤ等の第一の記録媒体に記録するＨＤＤ等の記録手段と、前記第一の記録フォーマットとは異なる第二の記録フォーマットで前記音声情報が記録された光ディスク等の第二の記録媒体から当該音声情報を検出する光ディスクドライブ等の検出手段と、前記検出した音声情報を再生するＣＤ再生部等の再生手段と、を備える情報記録再生装置に含まれるコンピュータを、前記再生された音声情報である再生音声情報を当該情報録再生装置の内部において前記符号化手段に伝送する伝送手段として機能させると共に、前記符号化手段として機能する前記コンピュータを、前記伝送された再生音声情報を符号化するように機能させ、前記記録フォーマット変換手段として機能する前記コンピュータを、前記符号化された再生音声情報のフォーマットを前記第一の記録フォーマットに変換するように機能させ、更に前記記録手段として機能する前記コンピュータを、フォーマットが前記第一の記録フォーマットに変換された前記再生音声情報を前記第一の記録媒体に記録するように機能させる。
【００１１】
上記の課題を解決するために、請求項８に記載の発明は、請求項７に記載の情報記録再生用プログラムが前記コンピュータにより読み取り可能に記録されている。
【発明を実施するための最良の形態】
【００１２】
次に、本願を実施するための最良の形態について、図面に基づいて説明する。なお、以下に説明する実施形態は、本願適用の一例として、光ディスクドライブとＨＤＤの２台の記録媒体に対する情報の記録再生が可能なＡＶ（Audio Video）レコーダ／プレーヤに対して本願を適用した場合の実施の形態である。
【００１３】
また、以下に説明する実施形態は、第一の記録フォーマットとしてＤＶＤ―Ｖｉｄｅｏフォーマット及びＤＶＤ―Ａｕｄｉｏ（以下、これらをまとめてＤＶＤフォーマットと称する。）、第二の記録フォーマットとしてＣＤ−ＤＡフォーマット、第一の記録媒体としてＨＤ、及び第二の記録媒体として音楽用ＣＤを夫々適用した場合の実施の形態である。
【００１４】
（Ｉ）第１実施形態
始めに、本願に係る第１実施形態について、図１を用いて説明する。
【００１５】
なお、図１は第１実施形態に係るＡＶレコーダ／プレーヤの概要構成の一例を示すブロック図である。
【００１６】
図１に示すように、本実施形態に係るＡＶレコーダ／プレーヤＳは、光ディスク１０１及びＨＤ１０２に対する情報の記録又は再生が可能な記録再生部１と、ＧＵＩ（Graphical User Interface）合成部２と、アナログ化部３と、デジタル化部４と、伝送手段としての伝送部５と、出力部６と、入力手段としての入力部７と、出力切替部８と、により構成されている。
【００１７】
この構成において、出力切替部８は、端子８１ａ及び８１ｂを備えるスイッチ８１と、端子８２ａ及び８２ｂを備えるスイッチ８２と、により構成されている。
【００１８】
更に、記録再生部１は、検出手段としての光ディスクドライブ１１と、記録手段としてのＨＤＤ１２と、デマルチプレクサ１３と、音声デコーダ１４と、映像デコーダ１５と、再生手段としてのＣＤ再生部１６と、記録フォーマット変換手段としてのマルチプレクサ１７と、符号化手段としての音声エンコーダ１８と、符号化手段としての映像エンコーダ１９と、ＣＤ記録部２０と、端子２１ａ及び２１ｂを備えるスイッチ２１と、により構成されている。
【００１９】
このとき、光ディスクドライブ１１は、記録媒体としての光ディスク１０１の装填が可能であり、例えば、当該光ディスク１０１からの情報の再生時においては、ＤＶＤ等の光ディスク１０１にＤＶＤフォーマットで記録されている映像情報及び音声情報を、夫々に対応する映像信号と音声信号の多重化されたデジタル信号として検出してデマルチプレクサ１３に供給する。更に、音楽用ＣＤ等の光ディスク１０１にＣＤ−ＤＡフォーマットで記録されている音声情報をデジタル信号として検出してＣＤ再生部１６に供給する。更にまた、ＤＶＤ等にＤＶＤフォーマットで記録されている音声情報をデジタル信号として検出してデマルチプレクサ１３に供給する。
【００２０】
一方、光ディスクドライブ１１は、光ディスク１０１に対する情報の記録時においては、マルチプレクサ１７から供給されたデジタル信号をＤＶＤフォーマットの映像情報及び音声情報としてＤＶＤ−Ｒ（DVD Recordable）等の記録可能な光ディスク１０１に記録する。更に、ＣＤ記録部２０から供給されたデジタル信号をＣＤ−Ｒ等の記録可能な光ディスク１０１にＣＤ−ＤＡフォーマットの音声情報として記録する。更にまた、マルチプレクサ１７から供給されたデジタル信号をＤＶＤフォーマットの音声情報としてＤＶＤ−Ｒ等に記録する。
【００２１】
一方、ＨＤＤ１２は、ＨＤ１０２を内蔵しており、当該ＨＤ１０２への情報記録時においては、マルチプレクサ１７から供給された多重化されたデジタル信号をＤＶＤフォーマットの映像情報及び音声情報としてＨＤ１０２に記録する。更に、マルチプレクサ１７から供給されたデジタル信号をＤＶＤフォーマットの音声情報としてＨＤ１０２に記録する。更に、ＨＤ１０２からの情報再生時においては、当該ＨＤ１０２に記録されている映像情報及び音声情報を、映像信号と音声信号の多重化されたデジタル信号として検出してデマルチプレクサ１３に供給する。更に、ＨＤ１０２に記録されている音声情報をデジタル信号としてデマルチプレクサ１３に供給する。
【００２２】
次に、デマルチプレクサ１３は、光ディスクドライブ１１又はＨＤＤ１２から供給された多重化したデジタル信号を、ＡＣ−３フォーマットの音声信号と、ＭＰＥＧ２（Motion Picture Experts Group 2）フォーマットの映像信号とに分配し、音声信号は音声デコーダ１４に、映像信号は映像デコーダ１５に夫々供給する。
【００２３】
そして、音声デコーダ１４は、上記ＡＣ−３フォーマットの音声信号をＰＣＭの音声信号に復号化し、スイッチ２１及び８１を介してＤ／Ａコンバータ３１ａに供給する。
【００２４】
また、映像デコーダ１５は、上記ＭＰＥＧ２フォーマットの映像信号をＰＣＭの映像信号に復号化し、スイッチ８２を介してＧＵＩ合成部２に出力する。
【００２５】
そして、ＧＵＩ合成部２は、スイッチ８２からの映像信号に対して、使用者との対話用のメニュー情報等からなるＧＵＩ情報を重畳してＤ／Ａコンバータ３１ｂに供給する。
【００２６】
他方、ＣＤ再生部１６は、光ディスクドライブ１１から供給された再生信号に対してＥＦＭ（Eight to Fourteen Modulation）変調を施し、８ビットのＰＣＭ（Pulse Code Modulation）の音声信号に変換し、スイッチ２１及び８２を介してＤ／Ａコンバータ３１ａに供給する。
【００２７】
一方、マルチプレクサ１７は、音声エンコーダ１８から供給された音声信号と、映像エンコーダ１９から供給された映像信号とを多重化してＤＶＤフォーマットに変換し、光ディスクドライブ１１又はＨＤＤ１２に供給する。
【００２８】
このとき、音声エンコーダ１８は、システム制御部９１内の図示しないメモリ等に記憶されている設定済みのビットレートにより、Ａ／Ｄコンバータ４１ａから供給された音声信号をＡＣ−３フォーマットに符号化してマルチプレクサ１７に供給する。
【００２９】
また、映像エンコーダ１９は、Ａ／Ｄコンバータ４１ｂから供給された映像信号をＭＰＥＧ２フォーマットに符号化してマルチプレクサ１７に供給する。
【００３０】
更に、ＣＤ記録部２０は、Ａ／Ｄコンバータ４１ａにより供給されたＰＣＭフォーマットの音声信号をＥＦＭ変調方式により１４ビットのデジタル信号に変換し、光ディスクドライブ１１に供給する。
【００３１】
次に、アナログ化部３は、アナログ化手段としてのＤ／Ａコンバータ３１ａと、Ｄ／Ａコンバータ３１ｂと、により構成されている。
【００３２】
このとき、Ｄ／Ａコンバータ３１ａは、デジタル信号として供給された音声信号をアナログ信号に変換し、音声出力端子６１又は伝送部５に供給する。
【００３３】
また、Ｄ／Ａコンバータ３１ｂは、デジタル信号として供給された映像信号をアナログ信号に変換し、映像出力端子６２に供給する。
【００３４】
他方、デジタル化部４は、デジタル化手段としてのＡ／Ｄコンバータ４１ａと、Ａ／Ｄコンバータ４１ｂと、により構成されている。
【００３５】
このとき、Ａ／Ｄコンバータ４１ａは、伝送部５、音声入力端子７１又はテレビ受信機７３のいずれかからアナログ信号として供給された音声信号をデジタル信号に変換し、音声エンコーダ１８又はＣＤ記録部２０に供給する。
【００３６】
また、Ａ／Ｄコンバータ４１ｂは、映像入力端子７２又はテレビ受信機７３のいずれかからアナログ信号として供給された映像信号をデジタル信号に変換して、映像エンコーダ１９に供給する。
【００３７】
次に、伝送部５は、端子５１ａ及び５１ｂを備える切替手段としてのスイッチ５１により構成されている。
【００３８】
このとき、伝送部５は、スイッチ５が端子５１ａに切り替えられた場合には、Ｄ／Ａコンバータ３１ａによりアナログ信号として供給される音声信号をＡ／Ｄコンバータ４１ａに伝送し、一方スイッチ５が端子５１ｂに切り替えられた場合には、音声入力端子７１又はテレビ受信機７３のいずれかからアナログ信号として入力された音声信号をＡ／Ｄコンバータ４１ａに伝送する。
【００３９】
次に、出力部６は、音声出力端子６１と、映像出力端子６２と、により構成されている。
【００４０】
更に、入力部７は、音声入力端子７１と、上記映像入力端子７２と、上記テレビ受信機７３と、端子７４ａ及び７４ｂを備えるスイッチ７４と、端子７５ａ及び７５ｂを備えるスイッチ７５と、により構成されている。
【００４１】
このとき、テレビ受信機７３は、アンテナを介して受信したテレビ信号をアナログ信号としての映像信号と音声信号に分配し、当該音声信号はＡ／Ｄコンバータ４１ａに、当該映像信号はＡ／Ｄコンバータ４１ｂに夫々供給する。
【００４２】
次に、システム制御部９１は、操作部９２における使用者によるボタン操作により、記録再生部１、ＧＵＩ合成部２、アナログ化部３、デジタル化部４、伝送部５、出力部６、入力部７、出力切替部８を統括制御し、本実施形態に係るＡＶレコーダ／プレーヤＳに、ボタン操作９２の操作内容に対応したビデオ再生、録画等の動作を行わせる。
【００４３】
このとき、操作部９２は、図示しない再生ボタン、停止ボタン、録画ボタン等により構成されている。また、操作部９２は更に、光ディスクドライブ再生ＨＤＤ記録ボタン、ＨＤＤ再生光ディスクドライブ記録ボタン、ビットレート選択ボタンにより構成されている。
【００４４】
ここで、使用者が上記光ディスクドライブ再生ＨＤＤ記録ボタンを押すと、システム制御部９１は、光ディスク１０１がＤＶＤ等である場合は、スイッチ２１を端子２１ａに、光ディスク１０１がＣＤ等である場合はスイッチ２１を端子２１ｂに切り替える。更に、システム制御部９１は、スイッチ５１を端子５１ａに、スイッチ８１を端子８１ａに、夫々切り替えて、光ディスク１０１に記録されている音声情報を再生し、後述するようにスイッチ２１→スイッチ８１→Ｄ／Ａコンバータ３１ａ→スイッチ５１→Ａ／Ｄコンバータ４１ａ→音声エンコーダ１８→ＨＤＤ１２の経路でＨＤ１０２に記録する。
【００４５】
一方、使用者が上記ＨＤＤ再生光ディスクドライブ記録ボタンを押すと、システム制御部９１は、スイッチ２１を端子２１ａに、スイッチ５１を端子５１ａに、スイッチ８１を端子８１ａに、夫々切り替えて、ＨＤ１０２に記録されている音声情報を再生し、後述するように音声デコーダ１４→スイッチ２１→スイッチ８１→Ｄ／Ａコンバータ３１ａ→スイッチ５１→Ａ／Ｄコンバータ４１ａ→音声エンコーダ１８→光ディスクドライブ１１の経路でＤＶＤ、ＣＤ−Ｒ等の記録可能な光ディスク１０１に記録する。
【００４６】
ここで、上述した音声情報の再生記録を行っている際は、映像出力端子６２を介して外部に黒画面の映像情報を出力するが、これに限らず、ＨＤ１０２やＤＶＤに記録されている映像情報、文字情報等を出力するようにしてもよい。例えば、再生記録の直前にＤＶＤから複数枚分の静止画像情報を取り込んでおき、再生・記録の最中に、取り込んだ静止画像を次々に表示することも可能であり、これにより、音声情報の再生記録の連続性を妨げることなく、同時に画像を表示することができる。
【００４７】
また、ビットレート選択ボタンを押すと、音声エンコーダ１８が音声情報を符号化する際のビットレートの選択状態を変更する。例えば、４８ｋｂｐｓ（bit per second）、９６ｋｂｐｓ、１９２ｋｂｐｓの３種類のビットレートが予め用意されており、そのうちいずれか１つが選択可能となる。そして、選択されたビットレートはシステム制御部９１に記憶される。
【００４８】
なお、表示部９３には、操作部９２による操作状態や、再生、記録状態等が、システム制御部９１によって表示される。
【００４９】
次に、第１実施形態に係るＡＶレコーダ／プレーヤＳにおいて、光ディスク１０１から再生した音声情報をＨＤ１０２に記録する場合の信号の流れを説明する。
【００５０】
光ディスク１０１から再生した音声情報をＨＤ１０２に記録する場合、先ず、光ディスク１０１がＤＶＤ−Ｒ等であるとき、光ディスクドライブ１１は、ＤＶＤフォーマットで光ディスク１０１に記録されている音声情報を検出してデジタル信号としてデマルチプレクサ１３に供給する。デジタル信号の供給を受けたデマルチプレクサ１３は、信号が多重化されていないため、デジタル信号をそのまま音声信号として音声デコーダ１４に供給する。音声デコーダ１４は、供給された音声信号をＰＣＭフォーマットの音声信号に復号化し、Ｄ／Ａコンバータ３１ａに供給する。
【００５１】
一方、光ディスク１０１が音楽用ＣＤ等である場合、光ディスクドライブ１１は、ＣＤ−ＤＡフォーマットで光ディスク１０１に記録されている音声情報をデジタル信号として検出してＣＤ再生部１６に供給する。デジタル信号の供給を受けたＣＤ再生部１６は、デジタル信号をＰＣＭの音声信号に変換し、Ｄ／Ａコンバータ３１ａに供給する。
【００５２】
そして、音声信号の供給を受けたＤ／Ａコンバータ３１ａは、その音声信号をアナログ信号に変換して伝送部５に供給する。これにより、伝送部５は、供給された音声信号をＡ／Ｄコンバータ４１ａに伝送する。Ａ／Ｄコンバータ４１ａは、供給された音声信号をＰＣＭの音声信号に変換して音声エンコーダ１８に供給する。音声エンコーダ１８は、システム制御部９１に記憶されているビットレートに基づいて、供給された音声信号を符号化し、マルチプレクサ１７に供給する。音声信号の供給を受けたマルチプレクサ１７は、映像エンコーダから映像信号の供給を受けていないため、音声信号をそのままＤＶＤフォーマットに変換してデジタル信号としてＨＤＤ１２に供給する。ＨＤＤ１２は、供給されたデジタル信号をＤＶＤフォーマットの音声情報としてＨＤ１０２に記録する。
【００５３】
次に、第１実施形態に係るＡＶレコーダ／プレーヤＳにおいて、ＨＤ１０２から再生した音声情報を光ディスク１０１へ記録する場合の信号の流れを説明する。
【００５４】
ＨＤ１０２から再生した音声情報を光ディスク１０１へ記録する場合、先ず、ＨＤＤ１２は、ＤＶＤフォーマットで記録されている音声情報をＨＤ１０２から検出してデジタル信号としてデマルチプレクサ１３に供給する。デジタル信号の供給を受けたデマルチプレクサ１３は、信号が多重化されていないため、デジタル信号をそのまま音声信号として音声デコーダ１４に供給する。音声デコーダ１４は、供給された音声信号をＰＣＭの音声信号に復号化し、Ｄ／Ａコンバータ３１ａに供給する。Ｄ／Ａコンバータ３１ａは、音声信号をアナログ信号に変換して伝送部５に供給する。伝送部５は、供給された音声信号をＡ／Ｄコンバータ４１ａに伝送する。Ａ／Ｄコンバータ４１ａは、供給された音声信号をＰＣＭの音声信号に変換して、光ディスク１０１がＤＶＤ−Ｒ等である場合は音声エンコーダ１８に供給し、光ディスク１０１がＣＤ−Ｒ等である場合は、ＣＤ記録部２０に供給する。
【００５５】
このとき、音声エンコーダ１８が音声信号の供給を受けた場合は、システム制御部９１に記憶されているビットレートに基づいて、その音声信号を符号化し、マルチプレクサ１７に供給する。音声信号の供給を受けたマルチプレクサ１７は、音声エンコーダから音声信号の供給を受けていないため、音声信号をそのままＤＶＤフォーマットに変換してデジタル信号として光ディスクドライブ１１に供給する。光ディスクドライブ１１は、供給された信号を光ディスク１０１にＤＶＤフォーマットの音声情報として記録する。
【００５６】
一方、ＣＤ記録部２０が音声信号の供給を受けた場合は、音声信号を変換し、光ディスクドライブ１１に供給する。光ディスクドライブ１１は、供給されたデジタル信号を光ディスク１０１にＣＤ−ＤＡフォーマットの音声情報として記録する。
【００５７】
以上説明したように、第１実施形態のＡＶレコーダ／プレーヤＳによれば、音楽ＣＤ再生用の回路と映像音声記録用の回路により、ＣＤ−ＤＡフォーマットの音楽用ＣＤ等から検出されて再生した音声情報が伝送部５を介して符号化されてＤＶＤフォーマットに変換された後にＨＤ１０２に直接記録されるので、従来の情報記録再生装置の構成を大幅に変更することなく、光ディスク１０１から再生した音声情報をＨＤ１０２に記録する機能を実現することができる。
【００５８】
また、ＡＶレコーダ／プレーヤＳの内部のみで音声情報を伝送するので、例えば、音声出力端子６１と音声入力端子７１とを使用者が接続する必要がなく、使用者の負担を軽減することができる。
【００５９】
更に、スイッチ５１により、音楽用ＣＤ等から再生された音声情報を伝送する状態と、音声入力端子７１等から入力された音声情報を伝送する状態とを切替えて、ＨＤ１０２等に記録することができるので、音楽用ＣＤ等から再生された音声情報を記録するのか、又は音声入力端子７１等から入力された音声情報を記録するのかを使用者が選択することができる。
【００６０】
更にまた、デジタル信号として再生された音声情報が、Ｄ／Ａコンバータ３１ａによりアナログ化され、伝送部５によりＡ／Ｄコンバータ４１ａに伝送され、デジタル化されてＨＤ１０２等に記録されるので、サンプリング周波数等の情報レートが異なる、例えば、音楽用ＣＤとＨＤ１０２との間で、再生した音声情報を記録することができる。
【００６１】
また、音声エンコーダ１８により、光ディスク１０１やＨＤ１０２に記録される音声情報の圧縮率を任意に変更することができるので、使用者の選択により、音声情報の記録サイズを小さくすることも、音声情報の品質を確保することもできる。
【００６２】
（II）第２実施形態
次に、本願に係る他の実施形態である第２実施形態について、図２を用いて説明する。
【００６３】
なお、図２は第２実施形態に係るＡＶレコーダ／プレーヤの概要構成の一例を示すブロック図である。
【００６４】
また、以下に説明する第２実施形態に係るＡＶレコーダ／プレーヤの構成においては、下記に示す伝送部の構成が第１実施形態に係るＡＶレコーダ／プレーヤの場合と異なるのみであるので、その他の部材については第１実施形態に係るＡＶレコーダ／プレーヤの構成を踏襲して同様の部材番号を付し、細部の説明は省略する。
【００６５】
上述した第１実施形態においては、伝送部５を通過する際の音声信号をアナログ信号として通過させる場合について説明したが、以下に説明する第２実施形態においては、デジタル信号のまま伝送部を通過させる。そして、当該伝送部の構成が、第１実施形態に係る伝送部５とは異なっている。
【００６６】
すなわち、図２に示すように、第２実施形態に係るＡＶレコーダ／プレーヤＳＳにおける伝送部５は、第１実施形態に係る伝送部５とは異なり、音声エンコーダ１８とＡ／Ｄコンバータ４１ａとの間及びスイッチ２１とスイッチ８１との間に接続されており、第１実施形態の場合と同様のスイッチ５１に加えて、変換手段としてのサンプリングレートコンバータ５２（以下、単にＳＲＣ５２と称する。）を備えている。
【００６７】
このとき、ＳＲＣ５２は、ＣＤ再生部１６又は音声デコーダ１４によりＰＣＭフォーマットに則って供給された音声信号のサンプリングレートを変換して、ＣＤ記録部２０又は音声エンコーダ１８に供給する。より具体的には、例えば、音楽用ＣＤにおけるサンプリングレートが４４．１ＫＨｚであり、ＤＶＤ及びＨＤ１０２におけるサンプリングレートが４８ＫＨｚである場合、音楽用ＣＤからＨＤ１０２へ記録するときは、当該サンプリングレートを４４．１ＫＨｚから４８ＫＨｚに、ＨＤ１０２からＣＤ−Ｒへ記録するときは、当該サンプリングレートを４８ＫＨｚから４４．１ＫＨｚに夫々変換し、ＤＶＤとＨＤ１０２との間で相互に音声信号を再生／記録するときは、サンプリングレートはそのまま変換せずに４８ＫＨｚのままで伝送する。
【００６８】
また、ＳＲＣ５２は、スイッチ５０が端子５１ａに切り替わった場合には、ＳＲＣ５２によりデジタル信号として供給された音声信号を音声エンコーダ１８又はＣＤ記録部２０に供給し、スイッチ５０が端子５１ｂに切り替わった場合には、Ａ／Ｄコンバータ４１ａからデジタル信号として入力された音声信号を音声エンコーダ１８又はＣＤ記録部２０に供給する。
【００６９】
次に、第２実施形態に係るＡＶレコーダ／プレーヤＳＳにおいて、光ディスク１０１から再生した音声情報をＨＤ１０２に記録する場合の信号の流れを説明する。
【００７０】
光ディスク１０１がＤＶＤ−Ｒ等である場合、光ディスク１０１にＤＶＤフォーマットで記録されている音声情報は、第１実施形態と同様の信号経路にて音声信号として音声デコーダ１４に供給される。音声デコーダ１４は、供給された音声信号をＰＣＭの音声信号に復号化し、ＳＲＣ５２に供給する。ＳＲＣ５２は、供給された音声信号のサンプリングレートを４８ＫＨｚのままで音声エンコーダ１８に供給する。
【００７１】
一方、光ディスク１０１が音楽用ＣＤ等である場合、光ディスクドライブ１１は、ＣＤ−ＤＡフォーマットで光ディスク１０１に記録されている音声情報をデジタル信号として検出してＣＤ再生部１６に供給する。デジタル信号の供給を受けたＣＤ再生部１６は、デジタル信号をＰＣＭの音声信号に変換し、ＳＲＣ５２に供給する。ＳＲＣ５２は、供給された音声信号のサンプリングレートを４４．１ＫＨｚから４８ＫＨｚに変換して、音声エンコーダ１８に供給する。
【００７２】
これらにより、音声エンコーダ１８に供給された音声信号は、第１実施形態と同様の信号経路によりＤＶＤフォーマットの音声情報としてＨＤ１０２に記録される。
【００７３】
次に、第２実施形態に係るＡＶレコーダ／プレーヤＳＳにおいて、ＨＤ１０２から再生した音声情報を光ディスク１０１へ記録する場合の信号の流れを説明する。
【００７４】
ＨＤ１０２にＤＶＤフォーマットで記録されている音声情報は、第１実施形態と同様の信号経路により音声信号として音声デコーダ１４に供給される。音声デコーダ１４は、供給された音声信号をＰＣＭの音声信号に復号化し、ＳＲＣ５２に供給する。
【００７５】
そして、ＳＲＣ５２は、光ディスク１０１がＤＶＤ等である場合には、供給された音声信号のサンプリングレートを４８ＫＨｚのままで音声エンコーダ１８に供給し、光ディスク１０１がＣＤ−Ｒ等である場合には、供給された音声信号のサンプリングレートを４８ＫＨｚから４４．１ＫＨｚに変換して、ＣＤ記録部２０に供給する。
【００７６】
その後、音声エンコーダ１８に供給された音声信号は、第１実施形態と同様の信号経路によりＤＶＤフォーマットの音声情報として光ディスク１０１に記録される。
【００７７】
一方、ＣＤ記録部２０に供給された音声信号は、こちらも第１実施形態と同様の信号経路でＣＤ−ＤＡフォーマットの音声情報として光ディスク１０１に記録される。
【００７８】
以上説明したように、第２実施形態のＡＶレコーダ／プレーヤＳＳによれば、第１実施形態に係るＡＶレコーダ／プレーヤＳの動作による効果に加えて、再生された音声情報のサンプリング周波数を変換することができるので、音声情報を記録する際のサンプリング周波数が異なる記録媒体の間で、再生した音声情報を記録することができる。
【００７９】
また、記録媒体から再生した音声情報を、デジタル信号のままで他の記録媒体に記録することができるので、記録される音声情報の品質の劣化を防ぐことができる。
【００８０】
（III）第３実施形態
次に、本願に係る他の実施形態である第３実施形態について、図３を用いて説明する。
【００８１】
なお、図３は第３実施形態に係るＡＶレコーダ／プレーヤの概要構成の一例を示すブロック図である。
【００８２】
また、第３実施形態に係るＡＶレコーダ／プレーヤにおいては、ＨＤに対する映像情報及び音声情報の記録、音楽用ＣＤに記録された音声情報の再生、及び音楽用ＣＤから再生された音声情報のＨＤに対する記録のみを行うような構成となっている点が第１実施形態に係るＡＶレコーダ／プレーヤの場合と異なり、その他の点については同様であるので、以下の説明では同様の部材番号を用いて細部の説明は省略する。
【００８３】
ここで、光ディスクドライブ１１はＣＤ再生専用のドライブであり、光ディスク１０１としての音楽用ＣＤにＣＤ−ＤＡフォーマットで記録されている音声情報をデジタル信号として検出してＣＤ再生部１６に供給する。
【００８４】
一方、ＨＤＤ１２は、マルチプレクサ１７から供給された多重化されたデジタル信号をＤＶＤフォーマットの映像情報及び音声情報としてＨＤ１０２に記録する。更に、マルチプレクサ１７から供給されたデジタル信号をＤＶＤフォーマットの音声情報としてＨＤ１０２に記録する。
【００８５】
そして、音楽用ＣＤから再生した音声情報のＨＤ１０２への記録は、光ディスクドライブ１１→ＣＤ再生部１６→Ｄ／Ａコンバータ３１ａ→スイッチ５１→Ａ／Ｄコンバータ４１ａ→音声エンコーダ１８→マルチプレクサ１７→ＨＤＤ１２の経路で行われる。
【００８６】
以上説明したように、第３実施形態のＡＶレコーダ／プレーヤＳ２についても本願を適用することができる。
【００８７】
（IV）第４実施形態
次に、本願に係る他の実施形態である第４実施形態について、図４を用いて説明する。
【００８８】
なお、図４は第４実施形態に係るＡＶレコーダ／プレーヤの概要構成の一例を示すブロック図である。
【００８９】
また、第４実施形態に係るＡＶレコーダ／プレーヤの構成においては、伝送部の構成が第３実施形態に係るＡＶレコーダ／プレーヤの場合と異なるのみであり、その伝送部は第２実施形態に係るＡＶレコーダ／プレーヤの場合と同様であるので、細部の説明は省略する。
【００９０】
上述した第３実施形態においては、伝送部５を通過する際の音声信号をアナログ信号として通過させる場合であるが、第４実施形態においては、デジタル信号のまま伝送部を通過させる。
【００９１】
そして、音楽用ＣＤから再生した音声情報のＨＤ１０２への記録は、光ディスクドライブ１１→ＣＤ再生部１６→ＳＲＣ５２→スイッチ５１→音声エンコーダ１８→マルチプレクサ１７→ＨＤＤ１２の経路で行われる。
【００９２】
以上説明したように、第４実施形態のＡＶレコーダ／プレーヤＳＳ２についても本願を適用することができる。
【００９３】
なお、以上説明した各実施形態においては、本願に係る情報再生記録装置をＡＶレコーダ／プレーヤに適用しているが、これに限らず、パーソナルコンピュータ等に適用してもよい。
【００９４】
また、各実施形態においては、本願に係る記録媒体を光ディスクとＨＤに適用しているが、これに限らず、ＩＣ（integrated circuit）メモリ、磁気テープ等の各種記録媒体に適用してもよい。
【００９５】
更に、各実施形態においては、本願に係る記録再生部１をデジタル回路として構成し、デジタル情報を記録可能な記録媒体に対する記録再生を行っているが、これに限らず、当該記録再生部１をアナログ回路として構成し、アナログ情報を記録可能な記録媒体に対して記録再生を行ってもよい。
【００９６】
また、各実施形態においては、音声信号を、音声エンコーダ１８で符号化し、音声デコーダ１４で復号化しているが、符号化復号化を行わずにＰＣＭフォーマットで記録媒体に記録させてもよい。
【００９７】
更にまた、各実施形態においては、複数のビットレートから選択された任意のビットレートで音声情報を符号化しているが、これに限らず、固定のビットレートで符号化してもよい。
【００９８】
また、各実施形態においては、音声情報の記録にＤＶＤフォーマット及びＣＤ−ＤＡフォーマットを用いているが、これに限らず、ＭＰ−３（MPEG Audio Layer-3）等の各種フォーマットを用いてもよい。
【図面の簡単な説明】
【００９９】
【図１】第１実施形態に係るＡＶレコーダ／プレーヤの概要構成の一例を示すブロック図である。
【図２】第２実施形態に係るＡＶレコーダ／プレーヤの概要構成の一例を示すブロック図である。
【図３】第３実施形態に係るＡＶレコーダ／プレーヤの概要構成の一例を示すブロック図である。
【図４】第４実施形態に係るＡＶレコーダ／プレーヤの概要構成の一例を示すブロック図である。
【符号の説明】
【０１００】
１    記録再生部
２    ＧＵＩ合成部
３    アナログ化部
４    デジタル化部
５    伝送部
６    出力部
７    入力部
８    出力切替部
１１    光ディスクドライブ
１２    ＨＤＤ
１３    デマルチプレクサ
１４    音声デコーダ
１５    映像デコーダ
１６    ＣＤ再生部
１７    マルチプレクサ
１８    音声エンコーダ
１９    映像エンコーダ
２０    ＣＤ記録部
２１、５１、７４、７５、８１、８２    スイッチ
３１ａ、３１ｂ    Ｄ／Ａコンバータ
４１ａ、４１ｂ    Ａ／Ｄコンバータ
５２    ＳＲＣ
７３    テレビ受信機
９１    システム制御部
９２    操作部
９３    表示部
１０１    光ディスク
１０２    ＨＤ
【図１】
2008108288.tif 000003
【図２】
2008108288.tif 000004
【図３】
2008108288.tif 000005
【図４】
2008108288.tif 000006